(57)【要約】  撮影装置が開示される。本撮影装置は、イメージセンサの一部領域のデータで、後幕と先幕との走行特性の差異により発生する露光情報を検出する検出部と、イメージセンサのリセット信号を生成する信号生成部と、検出された露光情報を用いて先幕の走行特性を補正し、補正された走行特性に応じてイメージセンサのリセット信号を生成するように制御する制御部とを含む。それにより、ユーザの便宜性を阻害することなく、電子先幕の走行特性を補正することができる。
2014508324.tif 000002
【特許請求の範囲】
【請求項１】
イメージセンサの一部領域のデータで、後幕と先幕との走行特性の差異により発生する露光情報を検出する検出部と、
前記イメージセンサのリセット信号を生成する信号生成部と、
前記検出された露光情報を用いて前記先幕の走行特性を補正し、前記補正された走行特性に応じて前記イメージセンサのリセット信号を生成するように制御する制御部と
を含む撮影装置。
【請求項２】
前記先幕が電子先幕であり、前記後幕が機械後幕であることを特徴とする請求項１に記載の撮影装置。
【請求項３】
前記露光情報が、露光時間に基づいた露光量であることを特徴とする請求項１に記載の撮影装置。
【請求項４】
前記制御部が、
前記検出された露光情報を用いて前記先幕の遅延量を補正し、前記補正された遅延量に応じて前記リセット信号を補正することにより、前記リセット信号を生成することを特徴とする請求項１に記載の撮影装置。
【請求項５】
前記制御部が、
以前の撮影で検出された露光情報を用いて前記先幕の走行特性を補正し、前記補正された走行特性に応じて前記リセット信号を補正することにより現在の撮影に適用することを特徴とする請求項１に記載の撮影装置。
【請求項６】
前記検出された露光情報を用いて、予め撮影されたイメージ上で後続補正を行うイメージ補正部を更に含むことを特徴とする請求項１に記載の撮影装置。
【請求項７】
前記制御部が、
予め撮影されたイメージの露光情報が予め設定された閾値以上である場合に、前記後続補正を行うように前記イメージ補正部を制御することを特徴とする請求項６に記載の撮影装置。
【請求項８】
前記イメージセンサの一部領域が、撮影時にイメージを形成するのに利用されない領域であることを特徴とする請求項１に記載の撮影装置。
【請求項９】
イメージセンサの一部領域のデータを用いて、後幕と先幕との走行特性の差異により発生する露光情報を検出するステップと、
前記検出された露光情報を用いて前記先幕の走行特性を補正するステップと、
前記補正された走行特性に応じて前記イメージセンサのリセット信号を生成するステップと
を含む撮影方法。
【請求項１０】
前記先幕が電子先幕であり、前記後幕が機械後幕であることを特徴とする請求項９に記載の撮影方法。
【請求項１１】
前記露光情報が、露光時間に基づいた露光量であることを特徴とする請求項９に記載の撮影方法。
【請求項１２】
前記補正するステップは、
前記検出された露光情報を用いて前記先幕の遅延量を補正し、
前記生成するステップは、
前記補正された遅延量に応じて前記リセット信号を補正することにより、前記リセット信号を生成することを特徴とする請求項９に記載の撮影方法。
【請求項１３】
前記補正するステップは、
以前の撮影で検出された露光情報を用いて前記先幕の走行特性を補正し、前記補正された走行特性に応じて前記リセット信号を補正することにより現在の撮影に適用することを特徴とする請求項９に記載の撮影方法。
【請求項１４】
前記検出された露光情報を用いて、予め撮影されたイメージ上で後続補正を行うステップを更に含むことを特徴とする請求項９に記載の撮影方法。
【請求項１５】
前記後続補正を行うステップは、
予め撮影されたイメージの露光情報が予め設定された閾値以上である場合に、前記後続補正を行うことを特徴とする請求項１４に記載の撮影方法。
【発明の詳細な説明】
【技術分野】
【０００１】
本発明は、撮影装置及びその撮影方法に関し、より詳細には、フォーカルプレーンシャッタ（ｆｏｃａｌ  ｐｌａｎｅ  ｓｈｕｔｔｅｒ）を利用する撮影装置及びその撮影方法に関する。
【背景技術】
【０００２】
カメラのシャッタは、大きくレンズシャッタとフォーカルプレーンシャッタとに分類することができ、前者はレンズの近くにシャッタが置かれており、後者は焦点面の近くにシャッタが置かれている。
フォーカルプレーンシャッタには、先幕及び後幕の移動方向に応じて、左右式シャッタ及び上下式シャッタの２種類があるが、現在は性能面において有利な上下式シャッタが多く使われている。
フォーカルプレーンシャッタは、カメラのイメージセンサのすぐ前に位置し、カメラの動作状態に応じてカメラのイメージセンサの前で先幕と後幕とを開閉することにより、レンズを通過した光を通過または遮断するようになる。ユーザが撮影を開始すると、図１１に示すように、先幕の走行が行われることで、イメージセンサの露光が開始され、カメラにおいて決定されたシャッタ速度に応じて適切な時間間隔（露光時間）を隔て後幕の走行が行われ、イメージセンサの露光が終了する。
【０００３】
このようなフォーカルプレーンシャッタには、いくつかの短所がある。第一に、ライブビュー使用の際、シャッタリリースラグ（ｓｈｕｔｔｅｒ  ｒｅｌｅａｓｅ  ｌａｇ）が増加するということである。最近のＤＳＬＲやミラーレス（ｍｉｒｒｏｒｌｅｓｓ）カメラにおいては、ＯＶＦの代わりにＥＶＦや後面ＬＣＤにイメージセンサ（Ｉｍａｇｅ  Ｓｅｎｓｏｒ）で撮影したライブビュー（Ｌｉｖｅ−ｖｉｅｗ）映像を提供している。そのために、フォーカルプレーンシャッタは、先幕を下に降ろし後幕を上に上げたオープン状態を保持するようになる。この状態で、ユーザが撮影を開始すると、下に垂れていた先幕がシャッタの上部に上がるチャージング動作が必要になる。すなわち、ライブビュー映像を提供するために、シャッタ駆動シーケンスが一段階増えることにより、シャッタリリースラグが増加するようになる。
第二に、シャッタショックによる画質劣化である。フォーカルプレーンシャッタは、図１１に示すように、イメージセンサに露光が行われている途中に、先幕の走行が完了する。このとき、先幕走行が終了することで、機械的な振動が発生するようになり、この振動は、イメージセンサを揺らすようになって画質の劣化をもたらす。
【０００４】
このような短所を改善するために、最近は、図１２のように、イメージセンサのリセット（ｒｅｓｅｔ）信号を画素ライン単位で順次に進めることにより、フォーカルプレーンシャッタの先幕の役割の代わりとする電子シャッタが多く利用されている。
電子シャッタは、イメージセンサの電子的な信号伝達と機械後幕の駆動によって、イメージセンサの露光時間が制御されるため、イメージセンサの電子信号タイミングと機械後幕の走行特性が時間的に精密に連動されなければならない。そのために、従来は、別途の検知部を設けて、機械後幕の走行特性を観察したり、機械後幕の走行特性を検出するために、別途の撮影シーケンスを追加したりすることで、イメージセンサの電子信号の機械後幕の駆動時間を調整する方法を使用してきた。
【０００５】
しかしながら、従来の検知部を利用する方法によると、フォーカルプレーンシャッタに別途の検知部を備えなければならないため、フォーカルプレーンシャッタの大きさ及び値段が上昇するという問題があり、機械後幕の走行特性を検出するために、フォトインタラプト（ｐｈｏｔｏ  ｉｎｔｅｒｒｕｐｔ）を使用する場合、レンズに入射する光を遮光する技術的な限界を伴うようになる。
なお、更なる検知部を加えることなくイメージセンサに結像するイメージを用いて、機械後幕の走行特性を検出する方法の場合には、機械後幕の走行特性を検出するために、更なるイメージの撮影が必要になるため、ユーザの便宜性を大きく阻害する要因となる問題点があった。
【発明の概要】
【発明が解決しようとする課題】
【０００６】
そこで、本発明は、上記問題に鑑みてなされたものであり、本発明の目的とするところは、電子先幕の走行特性を補正するための撮影装置及びその撮影方法を提供することにある。
【課題を解決するための手段】
【０００７】
上述の目的を達成するための本発明の一実施態様に係る撮影装置は、イメージセンサの一部領域のデータで、後幕と先幕との走行特性の差異により発生する露光情報を検出する検出部と、前記イメージセンサのリセット信号を生成する信号生成部と、前記検出された露光情報を用いて前記先幕の走行特性を補正し、前記補正された走行特性に応じて前記イメージセンサのリセット信号を生成するように制御する制御部とを含む。
【０００８】
ここで、前記先幕は電子先幕であり、前記後幕は機械後幕であってよい。
なお、前記露光情報は、露光時間に基づいた露光量であってよい。
なお、前記制御部は、前記検出された露光情報を用いて前記先幕の遅延量を補正し、前記補正された遅延量に応じて前記リセット信号を補正することにより、前記リセット信号を生成してよい。
なお、前記制御部は、以前の撮影で検出された露光情報を用いて前記先幕の走行特性を補正し、前記補正された走行特性に応じて前記リセット信号を補正することにより現在の撮影に適用してよい。
【０００９】
なお、前記検出された露光情報を用いて、予め撮影されたイメージ上で後続補正を行うイメージ補正部を更に含んでよい。
なお、前記制御部は、予め撮影されたイメージの露光情報が予め設定された閾値以上である場合に、前記後続補正を行うように前記イメージ補正部を制御してよい。
この場合、前記イメージセンサの一部領域は、撮影時にイメージを形成するのに利用されない領域であってよい。
【００１０】
一方、本発明の一実施態様に係る撮影方法は、イメージセンサの一部領域のデータを用いて、後幕と先幕との走行特性の差異により発生する露光情報を検出するステップと、前記検出された露光情報を用いて前記先幕の走行特性を補正するステップと、前記補正された走行特性に応じて前記イメージセンサのリセット信号を生成するステップとを含む。
【００１１】
ここで、前記先幕は電子先幕であり、前記後幕は機械後幕であってよい。
なお、前記露光情報は、露光時間に基づいた露光量であってよい。
なお、前記補正するステップは、前記検出された露光情報を用いて前記先幕の遅延量を補正し、前記生成するステップは、前記補正された遅延量に応じて前記リセット信号を補正することにより、前記リセット信号を生成してよい。
なお、前記補正するステップは、以前の撮影で検出された露光情報を用いて前記先幕の走行特性を補正し、前記補正された走行特性に応じて前記リセット信号を補正することにより現在の撮影に適用してよい。
【００１２】
なお、前記検出された露光情報を用いて、予め撮影されたイメージ上で後続補正を行うステップを更に含んでよい。
なお、前記後続補正を行うステップは、予め撮影されたイメージの露光情報が予め設定された閾値以上である場合に、前記後続補正を行ってよい。
この場合、前記イメージセンサの一部領域は、撮影時にイメージを形成するのに利用されない領域であってよい。
【発明の効果】
【００１３】
以上説明したように、本発明によれば、電子先幕を使用する時、ユーザの便宜性を阻害することなく、電子先幕の走行特性を補正することができる。なお、補正する過程において演算された露光誤差を用いて撮影されたイメージを後補正することにより、電子先幕の走行特性の補正過程で発生し得る露光誤差を最小限化することができるようになる。
【図面の簡単な説明】
【００１４】
【図１】本発明の一実施形態に係る撮影装置の構成を示す図である。
【図２】本発明の一実施形態に係る撮影装置の構成を示すブロック図である。
【図３】本発明の一実施形態に係るイメージセンサの領域区分を説明するための図である。
【図４】本発明の別の実施形態に係る走行特性の補正方法を説明するための図である。
【図５】本発明の別の実施形態に係る走行特性の補正方法を説明するための図である。
【図６】本発明の別の実施形態に係る走行特性の補正方法を説明するための図である。
【図７】本発明の別の実施形態に係る走行特性の補正方法を説明するための図である。
【図８】本発明の別の実施形態に係る機械後幕走行特性検出を用いた露光誤差の補正方法を説明するための図である。
【図９】本発明の一実施形態に係る撮影方法を説明するためのフローチャートである。
【図１０】本発明の一実施形態に係るリアルタイム電子先幕走行特性の補正方法を説明するためのフローチャートである。
【図１１】従来技術を説明するための図である。
【図１２】従来技術を説明するための図である。
【発明を実施するための形態】
【００１５】
以下に添付図面を参照しながら、本発明の好適な実施形態について詳細に説明する。
図１は、本発明の一実施形態に係るフォーカルプレーンシャッタ（ｆｏｃａｌ  ｐｌａｎｅ  ｓｈｕｔｔｅｒ）を採用した一般的な撮影装置の構成を示す。本撮影装置は、イメージセンサ１０と、機械先幕２０と、機械後幕３０と、ビューファインダ４０と、レンズ５０と、絞り６０とを含む。
【００１６】
図１に示すように、フォーカルプレーンシャッタで動作する撮影装置は、イメージセンサ１０の前にフォーカルプレーンシャッタを構成する機械先幕２０及び機械後幕３０が具備されている。
一方、イメージセンサ１０は、レンズ５０を介して、光を受け入れて電気的な信号に変換する素子としてＣＣＤ（Ｃｈａｒｇｅ−Ｃｏｕｐｌｅｄ  Ｄｅｖｉｃｅ）やＣＩＳ（ＣＭＯＳ  Ｉｍａｇｅ  Ｓｅｎｓｏｒ）がある。本発明の一実施形態においては、イメージセンサ１０に対して撮影素子による電荷蓄積を開始するためのリセットタイミングを調整することで、露出量を調節することができる。
【００１７】
フォーカルプレーンシャッタの機械先幕２０及び機械後幕３０は、イメージセンサ１０への光路を開閉する役割を担う。先幕及び後幕の移動する方向に応じて、左右式シャッタと上下式シャッタとがあるが、以下では上下式シャッタであることを前提として説明する。
機械先幕２０は、露光前にイメージセンサを遮光し、走行を開始することにより露光を開始する。一方、機械後幕３０は、機械先幕２０が露光を開始してから続いて露光を遮断する役割を担う。このような方式で、フォーカルプレーンシャッタでは、イメージセンサ１０をスキャンする形態で、スリット走行（一定間隔を隔てて並行して動作する）しながら、イメージセンサへの露光を調節するようになる。
【００１８】
絞り６０は、レンズ内に配置され、口径を制御しレンズを通過する光の量を制御する。レンズシャッタの場合、絞りの口径が大きいほど高速シャッタとして動作することが困難になる短所があるが、フォーカルプレーンシャッタでは、スリット走行することにより、如何なる絞り値においても最高速のシャッタを使用することができるというメリットを有している。
ビューファインダ４０は、ユーザが撮影装置を用いて撮影する場合、イメージングするために、または焦点を合わせるために覗く装置である。
【００１９】
本実施形態においては、撮影装置をカメラに限定して説明したが、それに限定されるものではなく、カムコーダや携帯電話のようなモバイルデバイス等、撮影機能を有するものであれば、如何なるものであっても本発明の技術的思想が利用されてよい。
【００２０】
図２は、本発明の一実施形態に係る撮影装置の構成を示すブロック図である。本実施形態に係る撮影装置は、レンズ１００と、機械シャッタ１０５と、イメージセンサ１１０と、デジタル信号処理部１２０と、ディスプレイ１３０と、制御部１４０と、入力部１５０と、保存部１６０とを備える。
レンズ１００が被写体の像を受けて、機械シャッタ１０５がスリット走行することにより、イメージセンサ１１０への露光量を調節する。一方、イメージセンサ１１０は、入力された光信号を電気的な信号に変換するだけでなく、電子先幕（Ｅｌｅｃｔｒｏｎｉｃ  Ｆｒｏｎｔ  Ｂｌａｄｅ）機能を介して露出量を調節する機能を有する。ここで、電子先幕とは、上述のように、前記イメージセンサのリセット信号をライン別に順次に進めて、フォーカルプレーンシャッタの先幕としての役割を果たすように実現されたものを指す。
【００２１】
入力された光信号は、イメージセンサ１１０によって電気的な信号に変換された後、デジタル信号処理部１２０（ＤＳＰ：Ｄｉｇｉｔａｌ  Ｓｉｇｎａｌ  Ｐｒｏｃｅｓｓｏｒ）でデジタル信号に変換され、ディスプレイ１５０を介してディスプレイされてよい。
ここで、デジタル信号処理部１２０は、検出部１２１と、信号生成部１２２とを含んでよい。
【００２２】
検出部１２１は、イメージセンサ１１０を構成する一部領域のデータを用いて、後幕と先幕との走行特性の差異により発生する露光情報を検出する機能を担う。ここで、先幕は電子先幕であり、後幕は機械後幕であってよい。なお、露光情報は、露光時間に基づいた露光量であってよい。
ここで、イメージセンサ１１０を構成する一部領域は、撮影時に画像形成に使用されない領域であってよい。ここで、当該領域は、ダミー領域（または、アクティブダミー領域）であってよい。それに対する詳細な説明は、図を参照して後述する。
【００２３】
信号生成部１２２は、イメージセンサ１１０のリセット信号を生成する機能を担う。
特に、信号生成部１２２は、制御部１４０の制御に従い、検出部１２１で検出された露光誤差を用いて電子先幕の走行特性を補正し、補正された走行特性に応じてイメージセンサ１１０のリセット信号を生成することができる。
なお、検出部１２１は、イメージセンサ１１０のダミー領域に該当するピクセルロー（ｐｉｘｅｌ  ｒｏｗ）の奇数ライン出力値及び偶数ライン出力値を比較し、機械後幕と電子先幕の走行特性の差異を検出することができる。
図示はしていないが、イメージ補正部（図示せず）は、検出部１２１で検出された露光情報を用いて、予め撮影されたイメージ上で後続補正を行うことができる。
【００２４】
その他に、デジタル信号処理部１２０は、ＡＧＣ（Ａｕｔｏｍａｔｉｃ  Ｇａｉｎ  Ｃｏｎｔｒｏｌ）（図示せず）、ＡＤＣ（Ａｎａｌｏｇ  ｔｏ  Ｄｉｇｉｔａｌ  Ｃｏｎｖｅｒｔｅｒ）（図示せず）、ＩＳＰ（Ｉｍａｇｅ  Ｓｉｇｎａｌ  Ｐｒｏｃｅｓｓｏｒ）（図示せず）、ＡＥ制御部（図示せず）等を更に含んでよい。
ＡＧＣ（図示せず）回路は、入力されたアナログ信号を適切な大きさの信号に増幅し、ＤＣ（図示せず）回路は、増幅された信号をアナログ信号からデジタル信号に変換することができる。
ＩＳＰ（図示せず）は、入力された映像信号をディスプレイすることができるように信号処理を行うことができる。なお、ＩＳＰ（図示せず）は、異なるように露出が行われたイメージセンサ１１０のそれぞれの領域に対する信号を受け、受信された信号を補正及び合成し、全イメージ信号を生成してディスプレイ１３０に提供することができる。
ＡＥ制御部（図示せず）は、ＩＳＰ（図示せず）において計算された露出情報を用いて、機械シャッタ１０５の走行及びイメージセンサ１１０の電子シャッタ動作を制御し、イメージセンサ１１０の各領域に対して適切な露出を提供する機能を担う。
【００２５】
ディスプレイ１３０は、デジタル信号処理部１２０において処理された映像信号を即座にユーザが確認することができるようにディスプレイし、ＯＳＤ（Ｏｎ−Ｓｃｒｅｅｎ  Ｄｉｓｐｌａｙ）を生成してユーザの便宜性を図る等の機能を具備する。
制御部１４０は、信号の増幅、変換、処理等の全体的な過程を制御する機能を具備し、入力部１５０で入力されたユーザの命令を受信し、受信された命令に基づいてカメラモジュールを制御する。
特に、制御部１４０は、検出部１２１で検出された露光情報を用いて電子先幕の走行特性を補正し、補正された走行特性に応じてイメージセンサ１１０のリセット信号を生成するように信号生成部１２２を制御することができる。
特に、制御部１４０は、検出部１２１で検出された露光情報を用いて、先幕の遅延量を補正し、補正された遅延量に応じてリセット信号を補正することで、リセット信号を生成するように信号生成部１２２を制御することができる。
なお、制御部１４０は、以前の撮影で検出された露光情報を用いて先幕の走行特性を補正し、補正された走行特性に応じて前記リセット信号を補正することで、現在の撮影に適用することができる。
【００２６】
なお、制御部１４０は、電子先幕の走査が開始した後、露光時間の予め設定された比率に該当する時間が経過すると、イメージセンサ１１０のダミー領域に該当するピクセルロー（ｐｉｘｅｌ  ｒｏｗ）の奇数ラインまたは偶数ラインにのみ、電子先幕の走行特性と同一のリセット信号を走査するように信号生成部１２２を制御することができる。ここで、予め設定された比率は、例えば、１／２であってよいが、それに限定されない。
それにより、検出部１２１は、ダミー領域におけるデータを用いて、機械後幕と電子先幕との走行特性の差異により発生する露光誤差を検出することができる。
一方、保存部は、現在のイメージまたは撮影装置の制御のために必要な情報等を保存する機能を具備する。
【００２７】
図３は、本発明の一実施形態に係るイメージセンサの領域区分を説明するための図である。
図３に示すように、イメージセンサ１１０は、撮影されたイメージを保存するためのＡｃｔｉｖｅ領域１１１以外に、更なる機能を実行するためのＡｃｔｉｖｅ  Ｄｕｍｍｙ領域１１２、Ｏｐｔｉｃａｌ  Ｂｌａｃｋ領域１１３等で構成されている。このうち、Ｏｐｔｉｃａｌ  Ｂｌａｃｋ領域を除くＡｃｔｉｖｅ領域及びＡｃｔｉｖｅ  Ｄｕｍｍｙ領域には、レンズ１００から入射したイメージが投射されるようになる。本発明の一実施形態では、ユーザが電子先幕機能を使って撮影を開始する場合に、図示のように、Ａｃｔｉｖｅ  Ｄｕｍｍｙ領域１１２に更なるＥｖｅｎ  Ｌｉｎｅ  Ｒｅｓｅｔ信号を印加することにより、機械後幕の走行特性を検出することができる。
【００２８】
以下では、図４及び図５を参照して、機械後幕の走行特性の検出方法及び電子先幕の走行特性の更新方法について詳細に説明する。
ユーザが撮影を開始すると、図４に示すように、イメージセンサ１１０は全てのピクセルをリセットして露光を開始する準備を行う。
このような全てのリセット過程が完了すると、信号生成部１２２は、予め保存された電子先幕の走行特性に応じて、上位ピクセルローから順次にリセット信号を印加して電子先幕を走査する。
電子先幕の走査が開始した後、露光時間の１／２が経過すると、Ａｃｔｉｖｅ  Ｄｕｍｍｙ領域に該当するＰｉｘｅｌ  ＲｏｗのＥｖｅｎ  Ｌｉｎｅにのみ、Ｅｌｅｃｔｒｏｎｉｃ  Ｆｒｏｎｔ  Ｂｌａｄｅの走行特性と同一のＥｖｅｎ  Ｌｉｎｅ  Ｒｅｓｅｔ信号走査を開始する。この過程により、Ａｃｔｉｖｅ  Ｄｕｍｍｙ領域は、Ｏｄｄ  Ｌｉｎｅ  ＲｏｗとＥｖｅｎ  Ｌｉｎｅ  Ｒｏｗとが互いに異なる露光時間を有するようになる。
【００２９】
図５に示すように、理想的に機械後幕の走行特性とＥｌｅｃｔｒｏｎｉｃ  Ｆｒｏｎｔ  Ｂｌａｄｅの走行特性とが一致する場合、Ｏｄｄ  Ｌｉｎｅ  Ｒｏｗの出力値は正確にＥｖｅｎ  Ｌｉｎｅ  Ｒｏｗの出力値の２倍となる。
しかしながら、機械後幕の走行特性とＥｌｅｃｔｒｏｎｉｃ  Ｆｒｏｎｔ  Ｂｌａｄｅの走行特性とが一致しない場合には、この出力値の比率が異なるようになり、この比率に基づいてＤＳＰ内部Ｅｘｐｏｓｕｒｅ  Ｅｒｒｏｒ  Ｄｅｔｅｃｔｏｒは、Ｅｌｅｃｔｒｏｎｉｃ  Ｆｒｏｎｔ  Ｂｌａｄｅが機械後幕に比べて、どれだけ遅延しているかを計算するようになる。
【００３０】
イメージセンサ１１０は、Ａｃｔｉｖｅ領域の上部と下部とにそれぞれ、Ａｃｔｉｖｅ  Ｄｕｍｍｙ領域を有しているため、上述の方法を使用することにより、ユーザが撮影したイメージデータの上部Ａｃｔｉｖｅ  Ｄｕｍｍｙ領域データで電子先幕の初期遅延量（Ｏｆｆｓｅｔ）を知ることができ、下部Ａｃｔｉｖｅ  Ｄｕｍｍｙ領域で電子先幕の全累積遅延量を知ることができる。
信号生成部１２２は、検出部１２１で計算された上下部の初期遅延量と累積遅延量とを受信し、予め保存されていた電子先幕の走行特性を更新することにより、電子先幕の走行特性と機械後幕の走行特性とを一致させることができる。
このような一連の過程を通じて、ユーザが実撮影を行う間、電子先幕の走行特性を補正することができるようになる。
【００３１】
図６及び図７は、本発明の別の実施形態に係る走行特性の補正方法を説明するための図である。
図６及び図７は、電子先幕を使用する撮影装置で機械先幕と機械後幕とを使用する場合にも、上述の内容と類似する方式で、電子先幕の走行特性の補正が可能であることを示している。
【００３２】
図８は、本発明の別の実施形態に係る機械後幕走行特性検出を用いた露光誤差の補正方法を説明するための図である。
上述のように、図４及び図５、並びに図６及び図７によると、ユーザが実撮影を行う間、電子先幕の走行特性の補正が可能である。しかしながら、補正された電子先幕の走行特性は次回の撮影から反映されるため、補正される前の撮影イメージは若干の露光誤差を有するようになる。このような露光誤差は、図８のように、検出部で演算された露光誤差をＧａｉｎ  Ｃｏｒｒｅｃｔｉｏｎ  Ｃｕｒｖｅに反映し、デジタル信号処理部１２０に備えられたイメージ補正部（図示せず）において後補正することにより、その分だけ最小限化することができるようになる。
【００３３】
図９は、本発明の一実施形態に係る撮影方法を説明するためのフローチャートである。
図９に示す撮影方法によると、まず、イメージセンサを構成する一部領域のデータを用いて機械後幕と電子先幕との走行特性の差異により発生する露光誤差を検出する（Ｓ８１０）。ここで、イメージセンサを構成する一部領域は、撮影時に画像形成に使用されないダミー領域であってよい。なお、電子先幕は、イメージセンサのリセット信号をライン別に順次に進め、フォーカルプレーンシャッタの先幕の役割を果たすように実現されたものを意味する。
続いて、検出された露光誤差を用いて、前記電子先幕の素行特性を補正する（Ｓ８２０）。
その後、補正された走行特性に応じて前記イメージセンサのリセット信号を生成する（Ｓ８３０）。
【００３４】
具体的には、電子先幕の走査が開始された後、露光時間の予め設定された比率に該当する時間が経過すると、ダミー領域に該当するピクセルローの奇数ラインまたは偶数ラインにのみ、前記電子先幕の走行特性と同一のリセット信号を走査することができる。それにより、ダミー領域のデータを用いて、機械後幕と電子先幕との走行特性の差異によって発生する露光誤差を検出することができる。ここで、予め設定された比率は、１／２であってよい。
なお、検出ステップ（Ｓ８１０）では、ダミー領域に該当するピクセルローの奇数ライン出力値及び偶数ライン出力値を比較し、前記機械後幕と電子先幕との走行特性の差異を検出することができる。
なお、検出ステップ（Ｓ８１０）で検出された露光誤差を用いて、予め撮影されたイメージを補正することができる。
【００３５】
図１０は、本発明の一実施形態に係るリアルタイム電子先幕走行特性の補正方法を説明するためのフローチャートである。
図１０によると、リアルタイムキャリブレーションを行うために、まず、予め設定された条件を満たすか否かを判断する（Ｓ９２０）。ここで、予め設定された条件は、シャッタ速度、絞り、被写体、焦点距離、撮影姿勢等を考慮して設定されてよい。例えば、シャッタ速度１／２０００以上、おすすめの絞り（中間開放）、イメージ上下部適正露出、レンズ別のおすすめ焦点距離、撮影姿勢Ｒｏｔａｔｉｏｎ、Ｔｉｌｔ  １５度以下等の条件に設定されてよい。
【００３６】
ステップＳ９２０において予め設定された条件を満たすか否かに応じて（Ｓ９２０：Ｙ、Ｎ）、対応するキャリブレーションモード撮影を開始する（Ｓ９３２、Ｓ９３４）。
続いて、上述の方法を通じて、上、下部ディレイを測定する（Ｓ９４２、Ｓ９４４）。
予め設定された条件を満たしていない場合、上、下ディレイが測定されると（Ｓ９４２）、測定されたディレイを通じてＧ．Ｃｏｒｒｅｃｔｉｏｎ  Ｃｕｒｖｅを獲得する（Ｓ９５２）。
続いて、Δｅｖが予め設定された値、例えば、０．６５Ｅｖを超過すると（Ｓ９６２：Ｙ）、Ｇａｍｍａ  Ｃｏｒｒｅｃｔｉｏｎを行う（Ｓ９７２）。
【００３７】
一方、予め設定された条件を満たす場合、上、下部ディレイが測定されると（Ｓ９４４）、測定されたディレイを通じてＥＦＳ  Ｐｒｏｆｉｌｅ補正係数及びＧ．Ｃｏｒｒｅｃｔｉｏｎ  Ｃｕｒｖｅを獲得する（Ｓ９５４、Ｓ９５６）。
続いて、ＥＦＳ  Ｐｒｏｆｉｌｅ補正係数が獲得された場合（Ｓ９５４）、Δｅｖが予め設定された値、例えば、０．４Ｅｖを超過すると（Ｓ９６４：Ｙ）、ＥＦＳ  Ｐｒｏｆｉｌｅをアップデートする（Ｓ９７４）。
なお、Ｇ．Ｃｏｒｒｅｃｔｉｏｎ  Ｃｕｒｖｅが獲得された場合（Ｓ９５６：Ｙ）、Δｅｖが予め設定された値、例えば、０．４  ６５ｖを超過すると（Ｓ９６６：Ｙ）、Ｇａｍｍａ  Ｃｏｒｒｅｃｔｉｏｎを行う（Ｓ９７６）。
【００３８】
なお、本明細書では、上述のような撮影方法及び走行特性の補正方法を実行するためのプログラムを含むコンピュータ読み取り可能な記録媒体を含んでよい。コンピュータ読み取り可能な記録媒体は、コンピュータシステムによって読み取られるデータが保存される全ての種類の記録媒体を含む。コンピュータ読み取り可能な記録媒体の例としては、ＲＯＭ、ＲＡＭ、ＣＤ−ＲＯＭ、磁気テープ、フロッピー（登録商標）ディスク、光データ保存装置等があり、また、コンピュータ読み取り可能な記録媒体は、ネットワークに接続されたコンピュータシステムに分散され、分散方式でコンピュータが読み込むことできるコードが保存された実行されてよい。
【００３９】
上述のように、本発明によると、実際の撮影時に使用されないＡｃｔｉｖｅ  Ｄｕｍｍｙ領域でＥｖｅｎ  Ｌｉｎｅ  Ｒｅｓｅｔを走査し、機械後幕の走行特性を検出することで、ユーザの便宜性を阻害することなく、電子先幕の走行特性を補正することができる。なお、補正する過程で演算された露光誤差を用いて撮影されたイメージを後補正することで、電子先幕の走行特性の補正過程で発生し得る露光誤差を最小限化することができるようになる。
【００４０】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００４１】
１０  イメージセンサ
２０  機械先幕
３０  機械後幕
４０  ビューファインダ
５０  レンズ
６０  絞り
１００  レンズ
１０５  機械シャッタ
１１０  イメージセンサ
１２０  デジタル信号処理部
１２１  検出部
１２２  信号生成部
１３０  ディスプレイ
１４０  制御部
１５０  入力部
１６０  保存部
【図１】
2014508324.tif 000003
【図２】
2014508324.tif 000004
【図３】
2014508324.tif 000005
【図４】
2014508324.tif 000006
【図５】
2014508324.tif 000007
【図６】
2014508324.tif 000008
【図７】
2014508324.tif 000009
【図８】
2014508324.tif 000010
【図９】
2014508324.tif 000011
【図１０】
2014508324.tif 000012
【図１１】
2014508324.tif 000013
【図１２】
2014508324.tif 000014
【国際調査報告】
2014508324.tif 000015
2014508324.tif 000016